(57)【要約】      （修正有）【課題】仕切用腕材間に形成される保管スペースの広さを変えることができ、更には物品の立て掛け高さを変えることのできるストッカーを提供する。【解決手段】ストッカーは、基台と、基台に立設された複数の柱材と、柱材間に架け渡された横桟材１２と、横桟材１２から前方に取り付けられた仕切用腕材１３とを備えてなり、横桟材１２の前面に横ガイド溝部２７を左右方向に沿って形成し、横ガイド溝部２７内で左右移動可能に横ガイド溝部２７に保持される摺動部１５と、摺動部１５から前方に延在して横ガイド溝部２７の前面開口３０から突出し仕切用腕材１３の末端に固設される連結部１８とから、平面略Ｌ字状の横スライド部材１４を形成し、横スライド部材１４に該横スライド部材１４を左右移動可能に横桟材１２に固定する横固定機構２１を設けてなる。【選択図】図６
0003108048.tif 000002
【実用新案登録請求の範囲】
【請求項１】
床上などに設置される基台と、基台に左右に間隔をおいて立設された複数の柱材と、柱材間に架け渡された横桟材と、横桟材に該横桟材から前方に延在して取り付けられて先端が自由端である仕切用腕材とを備えてなり、横桟材の前面に開口する側断面略Ｃ字状の横ガイド溝部を横桟材の左右方向に沿って形成し、横ガイド溝部内で左右移動可能に横ガイド溝部に保持される摺動部と該摺動部から前方に延在して横ガイド溝部の前面開口から突出し仕切用腕材の末端に固設される連結部とから、平面略Ｌ字状の横スライド部材を形成し、横スライド部材に該横スライド部材を左右移動可能に横桟材に固定する横固定機構を設けてなるストッカー。
【請求項２】
柱材の側面に開口する平断面略Ｃ字状の縦ガイド溝部を柱材の上下方向に沿って形成し、縦ガイド溝部内で上下移動可能に縦ガイド溝部に保持される摺動部と該摺動部から側方に延在して縦ガイド溝部の側面開口から突出し横桟材の端部に固設される連結部とから、正面略Ｌ字状の縦スライド部材を形成し、縦スライド部材に該縦スライド部材を上下移動可能に柱材に固定する縦固定機構を設けてなる請求項１に記載のストッカー。
【考案の詳細な説明】
【技術分野】
【０００１】
本考案は、例えば長尺の物品を立て掛けて、整理、保管をするストッカーに関するものである。
【背景技術】
【０００２】
従来、この種のストッカーは、床上などに設置される基台と、基台の後部に左右に間隔をおいて立設された複数本の柱材と、隣合う柱材間に架け渡された横桟材と、横桟材に前方に延在して取り付けられた複数の仕切用腕材とから成るものが知られており、例えば図１０に示した本考案のストッカー１と同様の外観を有している。但し、前記の基台、柱材、横桟材、および仕切用腕材はいずれも木製であり、前記の各部材は例えば鋼製の固定具とビスや釘を用いてそれぞれの所定位置に連結固定されている。かかるストッカーでは、長尺の物品が仕切用腕材間の保管スペースに並べられ横桟材に立て掛けて保管される。その際、物品の種類ごとに収容する保管スペースを予め決めておき、決められた保管スペースに該当物品を収容することによって、物品を種類ごとに区分けするようになっている。
【０００３】
【特許文献１】特開平１０−２３６６１９号公報
【考案の開示】
【考案が解決しようとする課題】
【０００４】
ところで、前記した従来のストッカーでは、仕切用腕材が横桟材の所定の位置に固定されているので、仕切用腕材間の収容スペースは一定の広さである。そのために、或る種類の物品の保管量が多い場合は、物品がひとつの収容スペースに入りきらず、２以上の収容スペースにまたがって収納せざるを得ないことがある。このように物品が２以上の収容スペースにまたがって保管されると、どの収容スペースに物品を収容すればよいのか、どの収容スペースから物品を取り出せばよいのか戸惑うことがあり、保管の作業性に問題が残る。
一方で、横桟材は一定の高さ位置に配置されているので、比較的短い物品の場合は物品の上端が横桟材まで届かないことがある。その場合は、物品を立て掛けて保管することができず、基台上に寝かせて置かなければならない。
【０００５】
他方、本考案者は長尺物品の整理保管に関する先行技術調査を実施したが、本考案に係るストッカーに関連したものは見当たらず、上記の特許文献１に記載された長尺物整理保管装置が見出された。しかしながら、この文献開示の長尺物整理保管装置は、鉄筋や鋼管などのようにワイヤを掛けてクレーンで搬送することを前提とする長尺物品を水平に寝かせて整理保管する装置であり、本考案に係るストッカーとは構成が全く異なるものであった。
【０００６】
本考案は、上記した従来の問題点に鑑みてなされたものであって、仕切用腕材間に形成される保管スペースの広さを変えることができ、更には物品の立て掛け高さを変えることのできるストッカーの提供を目的とする。
【課題を解決するための手段】
【０００７】
上記目的を達成するために、本考案に係るストッカーは、床上などに設置される基台と、基台に左右に間隔をおいて立設された複数の柱材と、柱材間に架け渡された横桟材と、横桟材に該横桟材から前方に延在して取り付けられて先端が自由端である仕切用腕材とを備えてなり、横桟材の前面に開口する側断面略Ｃ字状の横ガイド溝部を横桟材の左右方向に沿って形成し、横ガイド溝部内で左右移動可能に横ガイド溝部に保持される摺動部と該摺動部から前方に延在して横ガイド溝部の前面開口から突出し仕切用腕材の末端に固設される連結部とから、平面略Ｌ字状の横スライド部材を形成し、横スライド部材に該横スライド部材を左右移動可能に横桟材に固定する横固定機構を設けてなるものである。
【０００８】
また、前記構成に加えて、柱材の側面に開口する平断面略Ｃ字状の縦ガイド溝部を柱材の上下方向に沿って形成し、縦ガイド溝部内で上下移動可能に縦ガイド溝部に保持される摺動部と該摺動部から側方に延在して縦ガイド溝部の側面開口から突出し横桟材の端部に固設される連結部とから、正面略Ｌ字状の縦スライド部材を形成し、縦スライド部材に該縦スライド部材を上下移動可能に柱材に固定する縦固定機構を設けてなるものである。
【考案の効果】
【０００９】
本考案に係るストッカーによれば、横スライド部材の横固定機構の固定状態を解除することにより、仕切用腕材を横桟材に沿って左右に移動させることができる。そして、仕切用腕材を所望の位置まで移動させたのちに横固定機構を固定状態にすると、その位置で仕切用腕材が横桟材に固定される。これにより、仕切用腕材間の保管スペースの広狭を調節することができ、その保管スペースに所望種類の物品を保管することができる。
【００１０】
また、縦スライド部材の縦固定機構の固定状態を解除すると、横桟材を柱材に沿って上下に移動させることができる。そして、横桟材を所望の高さ位置まで移動させたのちに縦固定機構を固定状態にすると、その高さ位置で横桟材が柱材に固定される。従って、横桟材を所望の高さまで下げることができる。これにより、比較的短尺な物品であっても横桟材に確実に立て掛けて保管することができ、従来のように基台上に物品を寝かせて保管するといったことがない。
【考案を実施するための最良の形態】
【００１１】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係るストッカーの平面図、図２は前記ストッカーの正面図、図３は前記ストッカーの右側面図である。
各図において、この実施形態に係るストッカー１は、床Ｇ上などに設置される基台５と、基台５の後部に左右間隔をおいて立設された例えば３本の柱材６，６，６と、隣合う柱材６，６間に架け渡された横桟材１２，１２と、横桟材１２，１２にこれらの横桟材１２，１２から前方に延在して取り付けられ先端１３Ｔが自由端である複数（この例では１１本）の仕切用腕材１３，１３，１３，・・・と、隣合う柱材６，６の上端間に架け渡された天桟材１１，１１とを備えている。
【００１２】
前記の基台５は、基台後端部で左右に沿って配置された後基材３と、後基材３にこの後基材３から前方に延在して取り付けられた複数（この例では７本）の前基材２，２，２，・・・と、後基材３および前基材２，２，２，・・・の上面に敷設された鋼板製の板材４，４，４，・・・とから構成されている。柱材６，６，６は後基材３の両端部および左右中央部に立設されている。各柱材６は前基材２、後基材３、および天桟材１１に対し固定具７（図４（ａ））を用いてそれぞれビス止め固定されている。また、左右両端の柱材６，６は前基材２，２との間に架け渡された斜桟材８，８でそれぞれ補強されている。斜桟材８の下部は固定具９（図４（ｂ））を用いて前基材２にビス止め固定され、斜桟材８の上部は固定具１０（図４（ｃ））を用いて柱材６にビス止め固定されている。このストッカー１において、前基材２、後基材３、柱材６、固定具７、斜桟材８、固定具９、固定具１０、天桟材１１、横桟材１２、および仕切用腕材１３は例えばアルミニウム成型体で構成されている。
【００１３】
仕切用腕材１３の末端１３Ｓは、図５に示すスライド部材（本考案の横スライド部材の例）１４を介して横桟材１２に連結される。このスライド部材１４は主として鋳鉄で構成され、横ガイド溝部２７内で左右方向に移動可能であって横ガイド溝部２７に保持される摺動部１５と、この摺動部１５の末端から直角方向に延在して形成された連結部１８とから平面略Ｌ字状に形成されている。前記の連結部１８は横ガイド溝部２７の前面開口３０から突出配置され仕切用腕材１３の末端１３Ｓに固設されるようになっている。また、摺動部１５は、前面開口３０に摺動自在に嵌合する大きさの角棒状の基部１６と、基部１６の両側から外向きに突設された突部１７，１７とから構成されている。一方の突部１７の側端と他方の突部１７の側端間の距離は前面開口３０の開口幅よりも大きく設定されており、横ガイド溝部２７内に装入された摺動部１５が前面開口３０から脱落しないようになっている。
【００１４】
基部１６には前後方向に貫通する雌ネジ部２２が設けられ、雌ネジ部２２にボルト２３が螺合する。これらの雌ネジ部２２とボルト２３とから固定機構２１が構成される。この固定機構２１は、スライド部材１４を横桟材１２に左右移動可能に固定する本考案の横固定機構として使用される。前記の連結部１８には、スライド部材１４を仕切用腕材１３の末端１３Ｓに固定する固定機構２４が設けられている。連結部１８は、ガイド溝部２９の開口に摺動自在に嵌合する大きさの角棒状の基部１９と、基部１９の両側から外向きに突設された突部２０，２０とから構成されている。基部１９には左右方向に貫通する雌ネジ部２５が設けられ、雌ネジ部２５にボルト２６が螺合する。これらの雌ネジ部２５とボルト２６とから固定機構２４が構成される。尚、摺動部１５と連結部１８は延在方向が異なるだけで構造はほとんど同じである。
【００１５】
図６に示すように、この実施形態に用いる横桟材１２と仕切用腕材１３は縦断面が略長方形状の同じ構造であり、上面と下面にそれぞれ２条のガイド溝部（２８ほか）が形成され両側面にそれぞれ１条のガイド溝部（２７，２７Ａ，２９，２９）が形成されている。尚、横桟材１２の前部のガイド溝部は、左右方向（矢印Ｒ方向）に沿って長い側断面略Ｃ字状の横ガイド溝部２７である。また、柱材６は平断面が略正方形状である後述の仕切用腕材１３ａ（図１１）の正断面形状と同じ構造であって、上面、下面、左右両側面にそれぞれ２条のガイド溝部（３１ほか）が形成されている。
【００１６】
仕切用腕材１３を横桟材１２に取り付ける際は、２つのスライド部材１４，１４の連結部１８，１８を背中合わせに配置する。そして、横桟材１２の端部から横ガイド溝部２７内に摺動部１５，１５をそれぞれ挿入し、連結部１８，１８を前面開口３０から前方へ突出させておく。前面開口３０から突出した連結部１８，１８を仕切用腕材１３の末端１３Ｓからガイド溝部２９，２９にそれぞれ挿入する。次に、連結部１８，１８のボルト２６，２６を六角レンチで締めてガイド溝部２９の奥底面２９Ｂ（図７）に固定する。この状態でも、仕切用腕材１３はほぼ水平向きの姿勢で横桟材１２に保持されており、左右方向に移動自由となっている。そこで、固定機構２１，２１のボルト２３，２３を六角レンチで締めると、図７および図８に示すように、ボルト２３，２３の先端が縦ガイド溝部２７の奥底面２７Ｂに当接し、その位置でスライド部材１４，１４が縦ガイド溝部２７に固定される。
【００１７】
一方、図９に示すように、柱材６の左右両側面には、上下方向（矢印Ｐ方向）に沿って長い平断面略Ｃ字状の縦ガイド溝部３１，３１が形成されている。縦ガイド溝部３１，３１は側面に開口した側面開口３２，３２を有している。この場合、既述したスライド部材１４，１４，１４，１４を縦スライド部材として使用する。すなわち、スライド部材１４の摺動部１５が、縦ガイド溝部３１内で上下方向に移動可能に縦ガイド溝部３１に保持されボルト２３で固定されるようになっている。また、スライド部材１４の連結部１８が縦ガイド溝部３１の側面開口３２から突出し横桟材１２の端部にボルト２６によって固設されるようになっている。すなわち、既述した固定機構２１が、スライド部材１４の摺動部１５に設けられてスライド部材１４を柱材６に上下移動可能に固定する縦固定機構として使用される。
【００１８】
前記した構成のストッカー１は、図１０に示すように、例えば箱入りの長尺物品３３Ａやむき出しの長尺物品３３Ｂを仕切用腕材１３，１３間の保管スペースに並べ天桟材１１または横桟材１２に立て掛けて保管する。ところで、或る仕切用腕材１３，１３間の保管スペースに、例えば箱入りの長尺物品３３Ａだけを並べて立て掛けるようにした場合、箱入り物品３３Ａが多すぎて前記の保管スペース内が手狭になったとする。その場合、スライド部材１４，１４のボルト２３，２３を弛めると（図７、図８参照）、仕切用腕材１３を左右方向に移動させることができる。そして、仕切用腕材１３を所望の位置まで手で移動させたのち、ボルト２３，２３を締めて仕切用腕材１３を横桟材１２に固定する。これにより、保管スペースが広くなり長尺物品３３Ａのみを余裕スペースをもって保管することができる。長尺物品３３Ｂのみを保管する場合も同様である。
【００１９】
他方で、比較的短尺の物品を保管する場合に、短尺物品の上端が横桟材１２まで届かない場合がある。そのような場合は、固定機構２１，２１，２１，２１のボルト２３，２３，２３，２３を弛めると（図９参照）、柱材６に対し横桟材１２を上下方向に移動させることができる。従って、短尺物品の上端が届く高さまで横桟材１２を下げることができる。これにより、短尺物品であっても確実に立て掛けて保管することができ、従来のように基台上に寝かせて保管するといったことがない。
【００２０】
尚、上記した実施形態では、上面と下面にそれぞれ２条のガイド溝部（２８ほか）が形成され両側面にそれぞれ１条のガイド溝部（２７，２７Ａ，２９，２９）が形成された縦断面略長方形状の横桟材１２と仕切用腕材１３を用いたが、本考案の横桟材および仕切用腕材は前記の形状、構造に限定されない。例えば、図１１に示すように、平断面が略正方形状に形成されており上面、下面、左右両側面にそれぞれ２条のガイド溝部（２９，２９，２９，２９ほか）が形成された柱材６と同じ構造の、横桟材１２ａおよび仕切用腕材１３ａを用いることもできる。この実施形態の場合、柱材６の上面に横桟材１２ａが載置されて固定具（図示省略）で固定され、柱材６上方の横桟材１２ａ上に、柱材６と同じ構造の柱材６ａが立設され固定具（図示省略）で固定されている。
【００２１】
この実施形態では、スライド部材１４，１４，１４，１４の摺動部１５，１５，１５，１５を横桟材１２ａ前面の横ガイド溝部２７，２７に横桟材１２ａの側端から装入する。次に、スライド部材１４，１４，１４，１４の連結部１８，１８，１８，１８を仕切用腕材１３ａの両側面のガイド溝部２９，２９，２９，２９に装入し、ボルト２６，２６，２６，２６をそれぞれ締めて連結部１８，１８，１８，１８を仕切用腕材１３ａに固定する。そして、仕切用腕材１３ａを左右方向（矢印Ｒ方向）に移動させて所望の位置で止める。この例では柱材６，６ａの真前に止めてある。そして、摺動部１５，１５，１５，１５のボルト２３，２３，２３，２３をそれぞれ締めて横桟材１２ａに固定する。その後、現在の固定位置から仕切用腕材１３ａを移動させる場合は、ボルト２３，２３，２３，２３を弛めればよい。
このような断面略正方形状の横桟材１２ａや仕切用腕材１３ａを用いると、既述した断面略長方形状の横桟材１２や仕切用腕材１３と比べて、横桟材と仕切用腕材との連結構造強度が高くなり、連結部分に比較的大きな力がかかっても簡単に破損したりしない。
【図面の簡単な説明】
【００２２】
【図１】本考案の一実施形態に係るストッカーの平面図である。
【図２】前記ストッカーの正面図である。
【図３】前記ストッカーの右側面図である。
【図４】前記ストッカーに用いる種々の固定具を示す斜視図である。
【図５】前記ストッカーに用いるスライド部材の斜視図である。
【図６】前記ストッカーの横桟材に仕切用腕材を取り付ける態様を示す分解斜視図である。
【図７】前記横桟材に仕切用腕材を取り付け固定した態様を示す一部断面を含む部分平面図である。
【図８】図７におけるＹ−Ｙ線矢視断面図であり図２における円Ａ内拡大対応図である。
【図９】前記ストッカーの柱材に横桟材を取り付け固定した態様であって図２におけるＢ−Ｂ線矢視断面図である。
【図１０】前記ストッカーの使用状態を示す外観図である。
【図１１】本考案の別の実施形態に係るストッカーの横桟材への仕切用腕材の取り付け態様を示す一部断面を含む部分正面図である。
【符号の説明】
【００２３】
１      ストッカー
５      基台
６，６ａ    柱材
１２，１２ａ  横桟材
１３，１３ａ  仕切用腕材
１３Ｓ  末端
１３Ｔ  先端
１４    スライド部材（横スライド部材、縦スライド部材）
１５    摺動部
１８    連結部
２１    固定機構（横固定機構、縦固定機構）
２２    雌ネジ部
２３    ボルト
２７    横ガイド溝部
３０    前面開口
３１    縦ガイド溝部
３２    側面開口
Ｇ    床
Ｒ    矢印
Ｐ    矢印
【図１】
0003108048.tif 000003
【図２】
0003108048.tif 000004
【図３】
0003108048.tif 000005
【図４】
0003108048.tif 000006
【図５】
0003108048.tif 000007
【図６】
0003108048.tif 000008
【図７】
0003108048.tif 000009
【図８】
0003108048.tif 000010
【図９】
0003108048.tif 000011
【図１０】
0003108048.tif 000012
【図１１】
0003108048.tif 000013